(57)【要約】【課題】撮影した写真の画像データに、より効果の高い補正パラメータを用いて、撮影時の条件に応じた補正処理を施すことが可能な画像補正システムを提供する。【解決手段】写真を撮影するカメラ部と、写真を撮影したときの状態を示す状態情報を取得する情報取得部と、状態情報の分類毎に、画像データの補正処理に使用する補正パラメータを対応付けて保存する補正パラメータデータベースと、補正パラメータデータベースから状態情報に基づいて複数の選択補正パラメータを選択する補正パラメータ選択部と、複数の選択補正パラメータの各々を用いて画像データの補正処理を行って、複数の補正画像データを生成する画質補正部と、複数の補正画像データのうちから写真の撮影を実行したユーザが選択する選択補正画像データを特定する補正画像取得部と、選択補正画像データを生成する時に使用した選択補正パラメータに基づいて、補正パラメータデータベースに保存された状態情報に適合する選択補正パラメータに対する調整を行うパラメータ更新部と、を備える。【選択図】図１
2010171661.tif 000002
【特許請求の範囲】
【請求項１】
写真を撮影するカメラ部と、
前記写真を撮影したときの状態を示す状態情報を取得する情報取得部と、
前記状態情報の分類毎に、前記画像データの補正処理に使用する補正パラメータを対応付けて保存する補正パラメータデータベースと、
前記補正パラメータデータベースから前記状態情報に基づいて複数の選択補正パラメータを選択する補正パラメータ選択部と、
前記複数の選択補正パラメータの各々を用いて前記画像データの前記補正処理を行って、複数の補正画像データを生成する画質補正部と、
前記複数の補正画像データのうちから前記写真の撮影を実行したユーザが選択する選択補正画像データを特定する補正画像取得部と、
前記選択補正画像データを生成する時に使用した前記選択補正パラメータに基づいて、前記補正パラメータデータベースに保存された前記状態情報に適合する前記選択補正パラメータに対する調整を行うパラメータ更新部と
を備える画像補正システム。
【請求項２】
請求項１に記載の画像補正システムであって、
前記補正パラメータ選択部は、前記補正パラメータデータベースから前記状態情報に適合する前記補正パラメータと、当該補正パラメータとは設定内容が異なる他の補正パラメータとを、前記複数の選択補正パラメータとして選択する
画像補正システム。
【請求項３】
請求項１または請求項２に記載の画像補正システムであって、
前記ユーザが入力を行う入力部と、
前記複数の補正画像データを表示する表示部と、
をさらに備え、
前記補正画像取得部は、前記複数の補正画像データと前記画像データとを前記表示部へ表示して、前記ユーザから前記入力部への入力に基づいて、前記選択補正画像データを特定する
画像補正システム。
【請求項４】
請求項１から請求項３までのいずれかに記載の画像補正システムであって、
位置情報を取得するＧＰＳ受信部と、
日時を計時して日時情報を取得するタイマー部と、
前記ユーザのユーザ情報を記憶するユーザデータと、
をさらに備え、
前記状態情報は、前記位置情報と、前記日時情報と、前記位置情報および日時情報に基づいて取得する天気情報と、前記ユーザ情報とのうちの少なくとも一つを含む
画像補正システム。
【請求項５】
請求項１から請求項４までのいずれかに記載の画像補正システムであって、
前記情報取得部は、前記カメラ部が起動したときに前記状態情報を取得する
画像補正システム。
【請求項６】
請求項１から請求項４までのいずれかに記載の画像補正システムであって、
前記情報取得部は、前記写真が撮影された時に前記状態情報を取得する
画像補正システム。
【請求項７】
写真を撮影したときの状態を示す状態情報の分類毎に、画像データの補正処理に使用する補正パラメータを対応付けて保存する補正パラメータデータベースと、
前記補正パラメータデータベースから前記状態情報に基づいて複数の選択補正パラメータを選択する補正パラメータ選択部と、
前記複数の選択補正パラメータの各々を用いて前記写真の画像データの前記補正処理を行って、複数の補正画像データを生成する画質補正部と、
前記複数の補正画像データのうちから前記写真の撮影を実行したユーザが選択する選択補正画像データを生成する時に使用した前記選択補正パラメータに基づいて、前記補正パラメータデータベースに保存された前記状態情報に適合する前記選択補正パラメータに対する調整を行うパラメータ更新部と
を備える画像補正サーバ。
【請求項８】
請求項７に記載の画像補正サーバであって、
前記補正パラメータ選択部は、前記補正パラメータデータベースから前記状態情報に適合する前記補正パラメータと、当該補正パラメータとは設定内容が異なる他の補正パラメータとを、前記複数の選択補正パラメータとして選択する
画像補正サーバ。
【請求項９】
写真を撮影するステップと、
前記写真を撮影したときの状態を示す状態情報を取得するステップと、
前記状態情報の分類毎に、前記画像データの補正処理に使用する補正パラメータを対応付けて保存するステップと、
前記補正パラメータデータベースから前記状態情報に基づいて複数の選択補正パラメータを選択するステップと、
前記複数の選択補正パラメータの各々を用いて前記画像データの前記補正処理を行って、複数の補正画像データを生成するステップと、
前記複数の補正画像データのうちから前記写真の撮影を実行したユーザが選択する選択補正画像データを特定するステップと、
前記選択補正画像データを生成する時に使用した前記選択補正パラメータに基づいて、前記補正パラメータデータベースに保存された前記状態情報に適合する前記選択補正パラメータに対する調整を行うステップと
を備える画像補正方法。
【請求項１０】
請求項９に記載の画像補正方法であって、前記複数の選択補正パラメータを選択するステップは、
前記補正パラメータデータベースから前記状態情報に適合する前記補正パラメータと、当該補正パラメータとは設定内容が異なる他の補正パラメータとを、前記複数の選択補正パラメータとして選択するステップを含む
画像補正方法。
【請求項１１】
請求項９または請求項１０に記載の画像補正方法であって、
前記ユーザが入力を行うステップと、
前記複数の補正画像データを表示するステップと、
をさらに備え、
前記選択補正画像データを特定するステップは、
前記複数の補正画像データと前記画像データとを前記表示部へ表示して、前記ユーザから前記入力部への入力に基づいて、前記選択補正画像データを特定するステップ
を含む画像補正方法。
【請求項１２】
請求項９から請求項１１までのいずれかに記載の画像補正方法であって、
位置情報を取得するステップと、
日時を計時して日時情報を取得するステップと、
前記ユーザのユーザ情報を記憶するステップと、
をさらに備え、
前記状態情報は、前記位置情報と、前記日時情報と、前記位置情報および日時情報に基づいて取得する天気情報と、前記ユーザ情報とのうちの少なくとも一つを含む
画像補正方法。
【請求項１３】
請求項９から請求項１２までのいずれかに記載の画像補正方法であって、前記状態情報を取得するステップは、
前記カメラ部が起動したときに前記状態情報を取得するステップ
を含む画像補正方法。
【請求項１４】
請求項９から請求項１２までのいずれかに記載の画像補正方法であって、前記状態情報を取得するステップは、
前記写真が撮影された時に前記状態情報を取得するステップ
を含む画像補正方法。
【請求項１５】
写真を撮影したときの状態を示す状態情報の分類毎に、画像データの補正処理に使用する補正パラメータを対応付けて保存するステップと、
前記補正パラメータデータベースから前記状態情報に基づいて複数の選択補正パラメータを選択するステップと、
前記複数の選択補正パラメータの各々を用いて前記写真の画像データの前記補正処理を行って、複数の補正画像データを生成するステップと、
前記複数の補正画像データのうちから前記写真の撮影を実行したユーザが選択する選択補正画像データを生成する時に使用した前記選択補正パラメータに基づいて、前記補正パラメータデータベースに保存された前記状態情報に適合する前記選択補正パラメータに対する調整を行うステップと
を備える画像補正プログラム。
【請求項１６】
請求項１５に記載の画像補正プログラムであって、前記選択補正パラメータを選択するステップは、
前記補正パラメータデータベースから前記状態情報に適合する前記補正パラメータと、当該補正パラメータとは設定内容が異なる他の補正パラメータとを、前記複数の選択補正パラメータとして選択するステップ
を含む画像補正プログラム。
【発明の詳細な説明】
【技術分野】
【０００１】
本発明は、画像補正システムに関し、特に写真の画像データに対して撮影時の条件に応じた補正処理を行う画像補正システムに関する。
【背景技術】
【０００２】
撮影装置を備える情報処理端末が普及している。例えば、撮影装置を備える携帯電話端末は、撮影した写真を、携帯電話の壁紙に使用したり、電子メールに添付して特定のメールアドレスへ送信したり、或いは、インターネット上のホームページで公開したりといったことが可能である。
【０００３】
撮影装置により撮影した写真のデジタル画像データは、画質の補正を行うことが可能である。ユーザは、撮影された写真の画質を補正することによって、より好みに副った写真を取得することができる。一方で、画質の補正は、ある程度、高度な知識が必要となる。例えば、写真を補正するパラメータは、写真を撮影した場所や、季節、時刻、対象となる被写体の撮影条件等に応じて細かな調整を行う必要がある。しかし、補正パラメータの設定は、一般のユーザにとって、なかなか容易なことではない。まして、一般のユーザが、撮影を行う状況に応じた画質補正を行うことは困難である。このような、写真を撮影した状況に応じた画像データの画質補正に関する関連技術が、次のとおり公開されている。
【０００４】
特許文献１は、撮影情報を分析して撮影対象又は撮影状況を求めることにより、これに対応する適切な画像補正情報により撮影画像を補正することができる画像処理システムを開示している。特許文献１の画像処理システムは、画像処理システムであって、画像データを補正する為の画像補正情報が記憶された記憶手段と、撮影情報を取得する撮影情報取得手段と、撮影対象を撮影することにより、撮影対象の画像データを取得する撮影手段と、撮影情報取得手段で取得した撮影情報を分析し、画像データの画像補正情報を記憶手段から取得する撮影情報分析手段と、撮影情報分析手段で取得した画像補正情報に基づいて、撮影手段で取得した画像データを補正する画像処理手段とを有する。特許文献１の画像処理システムによれば、撮影者が特別な操作を行うことなく、位置情報や日時情報と言った撮影情報を取得し、この撮影情報を分析することによって、分析結果に基づいた適切な画像補正情報により撮影画像に対して画像補正を施すことにより、画像処理の知識の無い者であっても、簡単にすばらしい撮影画像を手にすることができる。
【０００５】
特許文献２は、装置の小型化を図ると共に、画質の劣化をある程度防ぐことができるデジタルカメラを開示している。特許文献２のデジタルカメラは、被写体を撮影する撮影場所に関する撮影場所情報を取得する撮影場所情報取得手段と、撮影場所情報取得手段により取得した撮影場所付近の天気情報を外部通信によって取得する天気情報取得手段と、取得した天気情報に基づいて少なくとも被写体の撮影画像の色情報の傾向が予め定めた傾向となるように撮影画像を補正する補正手段とを備える。特許文献２のデジタルカメラによれば、外部通信により取得した天気情報に基づいて、少なくとも被写体の撮影画像の色情報の傾向が予め定めた傾向となるように撮影画像を補正する構成としたので、装置の小型化を図ると共に画質の劣化を防ぐことができる。
【０００６】
特許文献３は、被写体を撮影した日時に応じた季節感覚および時刻感覚を撮影画像に反映することができる画像補正装置を開示している。特許文献３の画像補正装置は、固定撮影素子が被写体を撮影した日時を表す日時情報を生成するタイマー手段と、固定撮影素子によって撮影された被写体を表す光像を変換して得られたデジタルデータを複数の色成分に分離する色分離手段と、色分離手段によって分離された各色成分ごとに、各色成分の１画面分の積算値をそれぞれ積算する色成分積算手段と、色成分積算手段によって積算された色成分の１画面分の積算値とタイマー手段によって生成された日時情報とに基づいて、各色成分のホワイトバランスのためにゲイン調整値を各色成分ごとにそれぞれ演算するホワイトバランスゲイン演算手段と、ホワイトバランスゲイン演算手段によって演算された各ゲイン調整値に基づいて、色分離手段によって分離された各色成分のホワイトバランスのために、各色成分のゲインをそれぞれ調整するホワイトバランスゲイン調整手段とを具備する。特許文献３の画像補正装置によれば、被写体を撮影した日時に応じた季節感覚および時刻感覚を撮影画像に反映することができる。
【０００７】
特許文献４は、地域による趣向の違いに対応した画像処理をより容易に施すことができる画像補正装置を開示している。特許文献４の画像補正装置は、位置情報を取得する位置情報取得手段と、位置情報と画像の補正処理内容とを対応付けて記憶する補正処理内容記憶手段と、位置情報取得手段によって取得された位置情報に対応する補正処理内容を補正処理内容記憶手段から読み出す補正処理内容読出手段と、画像を記憶する画像記憶手段と、この画像記憶手段に記憶された画像を読み出す画像読出手段と、この画像読出手段によって読み出された画像を補正処理内容読出手段によって読み出された補正処理内容に基づいて補正する補正手段とを具備する。特許文献４の画像補正装置によれば、地域による趣向の違いに対応した画像処理をより用意に施すことができる。
【先行技術文献】
【特許文献】
【０００８】
【特許文献１】ＷＯ２００６／０２８１０８号公報
【特許文献２】特開２００３−２４４７０９号公報
【特許文献３】特開２００４−０６４３４５号公報
【特許文献４】特開２００７−０１９９２１号公報
【発明の概要】
【発明が解決しようとする課題】
【０００９】
上述した関連技術では、写真の撮影を行った時の条件に応じた画像データの補正処理を行うことが可能となるものの、補正処理に用いる補正パラメータについては述べられていない。画像データの補正処理では、補正パラメータにより補正の効果が大きく異なる。
【００１０】
そこで、本発明の目的は、撮影した写真の画像データに、より効果の高い補正パラメータを用いて、撮影時の条件に応じた補正処理を施すことが可能な画像補正システムを提供することである。
【課題を解決するための手段】
【００１１】
本発明の画像補正システムは、写真を撮影するカメラ部と、写真を撮影したときの状態を示す状態情報を取得する情報取得部と、状態情報の分類毎に、画像データの補正処理に使用する補正パラメータを対応付けて保存する補正パラメータデータベースと、補正パラメータデータベースから状態情報に基づいて複数の選択補正パラメータを選択する補正パラメータ選択部と、複数の選択補正パラメータの各々を用いて画像データの補正処理を行って、複数の補正画像データを生成する画質補正部と、複数の補正画像データのうちから写真の撮影を実行したユーザが選択する選択補正画像データを特定する補正画像取得部と、選択補正画像データを生成する時に使用した選択補正パラメータに基づいて、補正パラメータデータベースに保存された状態情報に適合する選択補正パラメータに対する調整を行うパラメータ更新部と、を備える。
【００１２】
本発明の画像補正サーバは、写真を撮影したときの状態を示す状態情報の分類毎に、画像データの補正処理に使用する補正パラメータを対応付けて保存する補正パラメータデータベースと、補正パラメータデータベースから状態情報に基づいて複数の選択補正パラメータを選択する補正パラメータ選択部と、複数の選択補正パラメータの各々を用いて写真の画像データの補正処理を行って、複数の補正画像データを生成する画質補正部と、複数の補正画像データのうちから写真の撮影を実行したユーザが選択する選択補正画像データを生成する時に使用した選択補正パラメータに基づいて、補正パラメータデータベースに保存された状態情報に適合する選択補正パラメータに対する調整を行うパラメータ更新部、とを備える。
【００１３】
本発明の画像補正方法は、写真を撮影するステップと、写真を撮影したときの状態を示す状態情報を取得するステップと、状態情報の分類毎に、画像データの補正処理に使用する補正パラメータを対応付けて保存するステップと、補正パラメータデータベースから状態情報に基づいて複数の選択補正パラメータを選択するステップと、複数の選択補正パラメータの各々を用いて画像データの補正処理を行って、複数の補正画像データを生成するステップと、複数の補正画像データのうちから写真の撮影を実行したユーザが選択する選択補正画像データを特定するステップと、選択補正画像データを生成する時に使用した選択補正パラメータに基づいて、補正パラメータデータベースに保存された状態情報に適合する選択補正パラメータに対する調整を行うステップと、を備える。
【００１４】
本発明の画像補正プログラムは、写真を撮影したときの状態を示す状態情報の分類毎に、画像データの補正処理に使用する補正パラメータを対応付けて保存するステップと、補正パラメータデータベースから状態情報に基づいて複数の選択補正パラメータを選択するステップと、複数の選択補正パラメータの各々を用いて写真の画像データの補正処理を行って、複数の補正画像データを生成するステップと、複数の補正画像データのうちから写真の撮影を実行したユーザが選択する選択補正画像データを生成する時に使用した選択補正パラメータに基づいて、補正パラメータデータベースに保存された状態情報に適合する選択補正パラメータに対する調整を行うステップと、を備える。
【発明の効果】
【００１５】
本発明によれば、撮影した写真の画像データに、より効果の高い補正パラメータを用いて、撮影時の条件に応じた補正処理を施すことが可能な画像補正システムを提供することができる。
【図面の簡単な説明】
【００１６】
【図１】第１実施形態の画像補正システムの構成を示すブロック図である。
【図２】第１実施形態における補正パラメータＤＢ２２１の一例を示す図である。
【図３】第１実施形態における画像補正システムの動作フローである。
【図４】第２実施形態の画像補正システムの構成を示すブロック図である。
【図５】第２実施形態における画像補正システムの動作フローである。
【発明を実施するための形態】
【００１７】
添付図面を参照して、本発明の実施形態による画像補正システムを以下に説明する。
【００１８】
（第１実施形態）
はじめに、本発明の第１実施形態による画像補正システムを以下に説明する。
【００１９】
［構成の説明］
まず、本実施形態の画像補正システムの構成の説明を行う。図１は、本実施形態の画像補正システムの構成を示すブロック図である。本実施形態の画像補正システムは、携帯電話端末１と、画像補正サーバ２と、ネットワーク３とを備える。
【００２０】
はじめに、本実施形態におけるネットワーク３の説明を行う。本実施形態におけるネットワーク３は、携帯電話端末１と画像補正サーバ２との間の通信を転送する。ネットワーク３は、複数の基地局３１を備える。基地局３１は、携帯電話端末１と無線通信を行うことが可能である。ネットワーク３は、携帯電話端末１と画像補正サーバ２との間の通信を接続することができれば、その構成を限定しない。例えば、ネットワーク３は、基地局３１を含む移動体通信ネットワークのみで構成されてもよいし、移動体通信ネットワークや、インターネットや、或いは、専用線ネットワーク等を相互に接続した構成であってもかまわない。
【００２１】
次に、本実施形態における携帯電話端末１の説明を行う。本実施形態における携帯電話端末１は、制御部１１と、記憶部１２と、カメラ部１３と、画像入力部１４と、ＧＰＳ（Ｇｌｏｂａｌ  Ｐｏｓｉｔｉｏｎｉｎｇ  Ｓｙｓｔｅｍ）受信部１５と、タイマー部１６と、無線通信部１７と、表示部１８と、入力部１９とを備える。
【００２２】
カメラ部１３は、被写体の写真を撮影する。カメラ部１３は、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサ等の光学センサを備える。カメラ部１３は、光学センサで取得した電気信号を、Ａ／Ｄ（Ａｎａｌｏｇ／Ｄｉｇｉｔａｌ）変換や、補完処理や、特性変換や、ＪＰＥＧ等へのフォーマット変換処理等の所定の処理を行って、写真の画像データを生成する。カメラ部１３は、画像データを画像入力部１４へ出力する。
【００２３】
画像入力部１４は、カメラ部１３からの画像入力インターフェイスである。画像入力部１４は、カメラ部１３から入力した画像データを制御部１１へ出力する。
【００２４】
ＧＰＳ受信部１５は、ＧＰＳ衛星からの電波を受信するためのアンテナを備え、ＧＰＳ衛星からの電波を受信して、現在の携帯電話機１の位置を算出する。ＧＰＳ受信部１５は、制御部１１からの問い合わせに応じて、算出した位置情報を制御部１１へ出力する。
【００２５】
タイマー部１６は、現在の日時を計時する。タイマー部１６は、制御部１１からの問い合わせに応じて、現在日時を制御部１１へ出力する。
【００２６】
無線通信部１７は、ネットワーク３を介して画像補正サーバ２と通信を行う。無線通信部１７は、無線通信を行うためのアンテナを備え、基地局３１と無線通信を行うことが可能である。無線通信部１７は、ネットワーク３で使用される通信プロトコルに従って通信を行うことが可能である。
【００２７】
表示部１８は、写真の画像データ等の各種データを表示する。表示部１８は、ＬＣＤ（Ｌｉｑｕｉｄ  Ｃｒｙｓｔａｌ  Ｄｉｓｐｌａｙ）で構成される。表示部１８は、制御部１１から各種データを入力して、ＬＣＤへ表示を行う。
【００２８】
入力部１９は、ユーザとの入力インターフェイスである。入力部１９は、テンキーを備える。或いは、入力部１９は、タッチパッドのような入力装置であってもよい。入力部１９は、ユーザからの入力を受け付けて、制御部１１へ出力する。
【００２９】
記憶部１２は、携帯電話端末１の機能を実現する処理用プログラムや、携帯電話端末１の機能の実現に必要なデータを記憶している。記憶部１２は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｌｙ）や、フラッシュメモリといった記憶装置で構成される。記憶部１２は、画像メモリ１２１と、ユーザデータ１２２とを備える。
【００３０】
画像メモリ１２１は、記憶部１２において、カメラ部１２の撮影した写真の画像データを記憶するための領域である。
【００３１】
ユーザデータ１２２は、携帯電話端末１のユーザに関するデータを記憶している。ユーザデータ１２２は、ユーザの性別、年齢、住所、人種といった情報を含む。ユーザデータ１２２は、携帯電話端末１のユーザにより、入力部１９から入力されて、記憶部１２へ記憶される。
【００３２】
制御部１１は、携帯電話端末１の機能を実現する。制御部１１は、ＣＰＵ（Ｃｅｎｔｒａｌ  Ｐｒｏｃｅｓｓｉｎｇ  Ｕｎｉｔ）等により構成され、記憶部１２に記録された処理用プログラムを読み込んで実行することによって、携帯電話端末１の機能を実現する。制御部１１は、撮影制御部１１１と、補正画像取得部１１２と、情報取得部１１３とを備える。
【００３３】
撮影制御部１１１は、カメラ部１３の写真の撮影を制御する。撮影制御部１１１は、ユーザの入力部１９に応じて、カメラ部１３を起動し、写真の撮影を制御し、写真の画像データを記憶部１２の画像メモリ１２１へ保存する。
【００３４】
情報取得部１１３は、状態情報を取得する。状態情報は、現在の携帯電話端末１の状態を示す情報である。本実施形態において、状態情報は、携帯電話端末１の位置情報、現在日時、ユーザ情報等を含む。情報取得部１１３は、カメラ部１３の起動を検知すると、ＧＰＳ受信部１５から携帯電話端末１の位置情報を取得し、タイマー部１６から現在の日時を取得し、記憶部１２のユーザデータ１２２からユーザ情報を取得する。なお、情報取得部１１３は、カメラ部１３で写真が撮影される度に、状態情報を取得しても良い。また、情報取得部１１３が取得する状態情報は、これらに限定しない。例えば、携帯電話端末１が加速度器を備える場合には、現在の携帯電話端末１の撮影方向を取得しても良い。あるいは、無線通信部１７から携帯電話端末１の位置情報となり得る、ネットワーク３の基地局３１に関する識別情報等を取得してもよい。これらは、後述する画像補正サーバにおいて、補正パラメータを選択する際に用いられる情報であり、補正パラメータの選択に使用する事ができる情報であれば、上述の情報には限定しない。
【００３５】
補正画像取得部１１２は、カメラ部１３の撮影した写真の画像データに対する、補正後の画像データ（以下、補正画像データ）を取得する。補正画像取得部１１２は、記憶部１２の画像メモリに保存された画像データと、情報取得部１１３から取得する状態情報とを、通信部１７を介して画像補正サーバへ送信する。補正画像取得部１１２は、画像補正サーバ２から補正画像データを取得すると、表示部１８へ補正画像データを表示する。
本実施形態において、補正画像取得部１１２は、画像補正サーバ２から複数の補正画像データを取得する。これら複数の補正画像データは、それぞれ異なる補正パラメータによって画像補正処理が行われた画像データである。補正画像取得部１１２は、これら複数の補正画像データを表示部１８へ表示する。補正画像取得部１１２は、ユーザに、表示部１８に表示された複数の補正画像データのうちから好みの画像データを選択するように通知を表示する。補正画像取得部１１２は、記憶部１２の画像メモリ１２１に保存された補正画像データの補正前の画像データへ、選択された補正画像データを更新して保存する。なお、補正画像データ取得部１１２は、補正前の画像データと、補正画像データとを別に保存しても良い。さらに、補正画像取得部１１２は、ユーザがいずれの補正画像データを選択したかを、画像補正サーバへ情報通知する。
【００３６】
次に、本実施形態における画像補正サーバ２の説明を行う。本実施形態における画像補正サーバ２は、制御部２１と、記憶部２２と、通信部２３とを供える
【００３７】
通信部２３は、ネットワーク３介して携帯電話端末１との通信をおこなう。通信部２３は、ネットワーク３で使用される通信プロトコルを用いて通信を行うことが可能である。
【００３８】
記憶部２２は、画像補正サーバ２の機能を実現する処理用プログラムや、画像補正サーバ２の機能の実現に必要なデータを記憶している。記憶部２２は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｌｙ）や、ＨＤＤ（Ｈａｒｄ  Ｄｉｓｋ  Ｄｒｉｖｅ）や、フラッシュメモリといった記憶装置で構成される。記憶部２２は、補正パラメータデータベース（以下、補正パラメータＤＢ）２２１を備える。
【００３９】
補正パラメータＤＢ２２１は、携帯電話端末１から受信する写真の画像データの画像補正処理に使用する設定情報である補正パラメータを記録している。図２は、本実施形態における補正パラメータＤＢ２２１の一例を示す図である。補正パラメータは、携帯電話端末１の取得する状態情報に基づく分類毎に、明度、彩度、コントラスト、シャープネス、強調、フィルタといった画像補正処理における設定情報を対応させて、補正パラメータＤＢ２２１へ記録している。本実施形態では、携帯電話端末１の状態情報に基づく分類を、エリア情報、人物情報、日時情報、天気情報に分類している。エリア情報は、携帯電話端末１の位置情報に基づいて区分けされた地域分類である。本実施形態においてエリア情報は、予め位置情報に基づいてある一定の範囲ごとに分類された地域単位で分類されている。人物情報は、携帯電話端末１のユーザデータ１２２に記録されたユーザに関する情報に基づく分類である。本実施形態において、人物情報は、ユーザの年代ごとに分類している。日時情報は、携帯電話端末１のタイマー部１６の計時した日時情報に基づく分類である。本実施形態において、日時情報は、午前、午後、夕方、夜間の区分に分類している。天気情報は、携帯電話端末１から受信する位置情報と、日時情報に基づく、当該エリアの当該日時における天気に基づく分類である。画像補正サーバ２は、携帯電話端末１から受信する位置情報と、日時情報に基づいて、インターネット上に存在する図示されない情報サーバから、天気情報を取得する。本実施形態において、天気情報は、晴れ、曇り、雨、雪に分類する。なお、図２に示す補正パラメータの分類は、一例であり、この例に限定はしない。状態情報の分類方法は、このほかの分類方法でも良い。例えば、人物情報に性別や人種などを含めるといった具合である。また、分類する状態情報の数は、図２に示すより多くても良い。例えば、携帯電話端末１から方位情報を取得できる場合には、方位情報による分類を加えても良い。画像補正システムの管理者は、補正パラメータを、いくつか状態情報毎に分類して、各パラメータに初期値を割り当てた上で、予め記憶部２２の補正パラメータＤＢ２２１へ記録しておく。また、補正パラメータは、後述するパラメータ更新部２１４によってより好ましい値へと更新される。
【００４０】
制御部２１は、画像補正サーバ２の機能を実現する。制御部２１は、ＣＰＵ等により構成され、記憶部２２に記録された処理用プログラムを読み込んで実行することによって、画像補正サーバ２の機能を実現する。制御部２１は、画質補正部２１１と、補正パラメータ選択部２１２と、適用パラメータ算出部２１３と、パラメータ更新部２１４とを備える。
【００４１】
補正パラメータ選択部２１２は、携帯電話端末１から受信した状態情報に基づいて、記憶部２２の補正パラメータＤＢ２２１に記録された補正パラメータから適合する補正パラメータ（以下、選択補正パラメータ）を選択する。本実施形態において、補正パラメータ選択部２１２は、設定内容の異なる複数の補正パラメータを選択補正パラメータとして選択する。本実施形態では、補正パラメータ選択部２１２は、状態情報に適合する選択補正パラメータの他に、設定内容の異なる２つの補正パラメータを選択補正パラメータとして選択する。設定内容の異なる２つの選択補正パラメータの選択方法については、具体的に限定はしないが、状態情報に適合する選択補正パラメータの設定内容に近い補正パラメータを選択して、生成される補正画像データに微妙な画質の違いを発生されても良い。あるいは、全く異なる設定内容の補正パラメータを選択してもよい。
【００４２】
適用パラメータ算出部２１３は、補正パラメータ選択部２１２が選択した選択補正パラメータと、携帯電話端末１から受信した画像データの画質情報に基づいて、携帯電話端末１から受信した写真の画像データの補正処理を行う適用パラメータを算出する。ここで、画像データの画質情報とは、写真の画像データにおいて補正パラメータの設定内容と同様の明度や、彩度といった画質情報である。本実施形態において、補正パラメータ選択部２１２は、状態情報に適合する補正パラメータの他に、設定内容の異なる２つの補正パラメータも選択補正パラメータとして選択している。適用パラメータ算出部２１３は、これら、３パターンの選択補正パラメータのそれぞれに対して、適用パラメータを算出する。
【００４３】
画質補正部２１１は、適用パラメータ算出部２１３の算出した適用パラメータを用いて、携帯電話端末１から受信した写真の画像データに対して画質の補正処理を行い、補正画像データを生成する。画質補正部２１１は、補正処理後の補正画像データを、通信部２３を介して、携帯電話端末１へ送信する。本実施形態において、画質補正部２１１は、一つの写真の画像データに対して、複数の補正画像データを生成する。画質補正部２１１は、適用パラメータ算出部２１３から入力する３パターンの適用パラメータを用いて、写真の画像データに対して補正処理を行って、３パターンの補正画像データを生成する。このように、画質補正部２１１が、複数の補正画像データを生成して、携帯電話端末１へ送信するため、携帯電話端末１のユーザは、複数の補正画像データのうちから好みの補正画像データを選択することができる。
【００４４】
パラメータ更新部２１４は、補正パラメータの更新処理を行う。パラメータ更新部２１４は、画質補正部２１１の生成した複数の補正画像データのうちから、いずれの補正画像データをユーザが選択したのかを、携帯電話端末１から情報通知として受信する。パラメータ更新部２１４は、ユーザが選択した補正画像データの生成に使用した補正パラメータと、携帯電話端末１の状態情報に適合した補正パラメータとに基づいて、携帯電話端末１の状態情報に適合した補正パラメータの設定内容を調整して更新する。このように、パラメータ更新部２１４がユーザの補正画像データの選択に基づいて、補正パラメータの調整を行うことで、画像処理サーバ２は、当該状態情報に対するより好適な補正パラメータを保持することができる。
【００４５】
以上が、本実施形態における画像補正システムの構成の説明である。
【００４６】
［動作方法の説明］
次に、本実施形態における画像補正システムの動作方法について説明を行う。図３は、本実施形態における画像補正システムの動作フローを示している。なお、本動作フローが開始する以前に、画像補正システムの管理者は、補正パラメータを携帯電話端末１の状態情報に対応させて分類し、画像補正サーバ２の記憶部２２へ、予め保存している。
【００４７】
（ステップＳ１０）
携帯電話端末１のユーザは、携帯電話端末１の入力部１９を操作して、カメラの起動命令を入力する。制御部１１の撮影制御部１１１は、入力部１９からカメラの起動命令を入力すると、カメラ部１３を起動する。
【００４８】
（ステップＳ２０）
情報取得部１１３は、カメラ部１３の起動を検知すると、携帯電話端末１の状態情報を取得する。情報取得部１１３は、ＧＰＳ受信部１５から携帯電話端末１の位置情報を取得する。また、情報取得部１１３は、タイマー部１６から現在の日時情報を取得する。さらに、情報取得部１１３は、記憶部１２のユーザデータ１１２を取得する。情報取得部１１３は、取得した状態情報を保持する。なお、情報取得部１１３は、定期的（例えば、一定時間毎）に状態情報を更新してもかまわない。あるいは、情報取得部１１３は、後述するカメラ部１３が写真撮影を行う時（ステップＳ３０の際）に、状態情報を取得しても構わない。なお、本実施形態において、情報取得部１１３は、位置情報と、日時情報と、ユーザデータとを取得しているが、状態情報の種類はこれらに限定しない。状態情報は、より多くの情報から構成されてもよいし、逆にこれらの情報が全て必要であるわけではない。
【００４９】
（ステップＳ３０）
ユーザは、カメラ部１３の備える撮影用レンズを被写体へ向けて、入力部１９へ（例えば、シャッターボタンへ）写真の撮影命令を入力する。撮影制御部１１１は、入力部１９から写真の撮影命令を入力すると、カメラ部１３の撮影を制御する。カメラ部１３は、撮影制御部１１１の制御に基づいて、写真を撮影する。
【００５０】
（ステップＳ４０）
カメラ部１３は、写真を撮影すると、所定の処理を行って、写真の画像データを生成する。カメラ部１３は、写真の画像データを画像入力部１４を介して制御部１１へ出力する。撮影制御部１１１は、画像入力部１４を介して写真の画像データを入力すると、記憶部１２の画像メモリ１２１へ写真の画像データを保存する。
【００５１】
（ステップＳ５０）
補正画像取得部１１２は、撮影制御部１１１により写真の撮影が行われたことを検知する。補正画像取得部１１２は、記憶部１２の画像メモリ１２１から当該写真の画像データを取得する。同時に、補正画像取得部１１２は、情報取得部１１３から、携帯電話端末１の状態情報を取得する。補正画像取得部１１２は、写真の画像データと状態情報とを含めた、補正画像データの生成要求を、無線通信部１７を介して画像処理サーバ２へ送信する。ネットワーク３は、携帯電話端末１から送信された写真の画像データと状態情報とを、画像補正サーバ２へ転送する。
【００５２】
（ステップＳ６０）
画像補正サーバ２の制御部２１は、携帯電話端末１の送信した補正画像データの生成要求を、通信部２３を介して受信する。
【００５３】
（ステップＳ７０）
制御部２１の補正パラメータ選択部２１２は、補正画像データの生成要求に含まれる状態情報に基づいて、状態情報に適合する補正パラメータ（以下、選択補正パラメータ）を、記憶部２２に保存されている補正パラメータ２２１から選択する。なお、本実施形態において、補正パラメータ選択部２１２は、状態情報に適合する選択補正パラメータの他に、設定内容の異なる２つの補正パラメータを選択補正パラメータとして選択する。そのため、補正パラメータ選択部２１２は、３パターンの選択補正パラメータを、記憶部２２に記憶された補正パラメータから選択する。なお、本実施形態において、補正パラメータ選択部２１２は、３パターンの選択補正パラメータを選択しているが、選択する選択補正パラメータの数は、これに限定しない。
【００５４】
（ステップＳ８０）
適用パラメータ算出部２１３は、補正パラメータ選択部２１２の選択した選択補正パラメータに基づいて、写真の画像データの補正処理に使用する適用パラメータを算出する。適用パラメータ算出部２１３は、補正パラメータ選択部２１２の選択した３パターンの補正パラメータのそれぞれの設定値に基づいて適用パラメータを算出する。
【００５５】
（ステップＳ９０）
画質補正部２１１は、適用パラメータ算出部２１３の算出した適用パラメータを用いて、写真の画像データの補正処理を行って、補正画像データを生成する。本実施形態において、画質補正部２１１は、３パターンの適用パラメータを用いて、それぞれのパラメータによって補正処理を行った、３パターンの補正画像データを生成する。
【００５６】
（ステップＳ１００）
制御部２１は、画質補正部２１１の生成した補正画像データを含めた、補正画像データの生成応答を、通信部２３を介して携帯電話端末１へ送信する。ネットワーク３は、画像補正サーバ２の送信した補正画像データの生成応答を、携帯電話端末１へ転送する。
【００５７】
（ステップＳ１１０）
携帯電話端末１の補正画像取得部１１２は、無線通信部１７を介して、補正画像データの生成応答を受信する。
【００５８】
（ステップＳ１２０）
補正画像取得部１１２は、補正画像データの生成応答に含まれる補正画像データを、補正後の写真として、表示部１８へ表示する。本実施形態において、補正画像取得部１１２は、３パターンの補正画像データを取得する。補正画像取得部１１２は、これら３パターンの補正画像データと、記憶部１２の画像メモリ１２１に保存されている補正前の画像データとを表示部１８へ表示する。補正画像取得部１１２は、補正画像データと補正前の画像データとを、表示部１８のＬＣＤを表示エリアとして４分割して、４つの写真を表示しても良いし、あるいは、表示部１８の１画面に写真１枚を表示して、ユーザが画面を切り替えて参照するように表示を行っても良い。
【００５９】
（ステップＳ１３０）
補正画像取得部１１２は、３パターンの補正画像データと補正前の画像データとを表示部１８に表示すると、４枚の写真のうちから好みの写真を選択するように、ユーザへの通知を表示部１８へ表示する。ユーザは、表示部１８へ表示された４枚の写真のうちから、好みの写真を選択して入力部１９へ入力する。
【００６０】
（ステップＳ１４０）
補正画像取得部１１２は、入力部１９からユーザの入力を通知されると、ユーザの選択した写真の補正後画像データ（あるいは、補正前の画像データ）を、記憶部１２の画像メモリ１２１へ保存する。補正画像取得部１１２は、ユーザの選択した写真の補正後画像データを、画像メモリ１２１に保存された補正前の画像データに対して更新して保存を行っても良い。あるいは、補正画面取得部１１２は、ユーザの選択した写真の補正後画像データと、画像メモリ１２１に保存された補正前の画像データとを別に保存を行っても良い。
【００６１】
（ステップＳ１５０）
補正画像取得部１１２は、ユーザがいずれの補正画像データ（あるいは補正前の画像データ）を選択したかを、情報通知として、画像補正サーバ２へ無線通信部１７を介して送信する。ネットワーク３は、携帯電話端末１の送信した情報通知を、画像補正サーバ２へ転送する。
【００６２】
（ステップＳ１６０）
画像補正サーバ２の画質補正部２１１は、携帯電話端末１の送信した情報通知を、通信部２３を介して受信する。画質補正部２１１は、情報通知より、いずれの写真の補正画像データ（あるいは補正前の画像データ）がユーザに選択されたかを検知する。画質補正部２１１は、ユーザに選択された補正画像データ（あるいは補正前の画像データ）の画質情報と共に、補正パラメータの更新命令をパラメータ更新部２１４へ命令する。
【００６３】
（ステップＳ１７０）
パラメータ更新部２１４は、画質補正部２１１から更新命令を入力すると、ユーザに選択された補正画像データ（あるいは補正前の画像データ）に基づいて、ステップＳ７０で選択した、携帯電話端末１の状態情報に適合する補正パラメータの調整を行って更新する。
【００６４】
以上が、本実施形態における画像補正システムの動作方法の説明である。
【００６５】
ここまで、本実施形態における画像補正システムの説明を行ってきた。このように、画像補正サーバ２は、携帯電話端末１から写真の画像データと携帯電話端末１の状態情報とを取得して、状態情報に基づいて複数の選択補正パラメータを選択する。画像補正サーバ２は、これら複数の選択補正パラメータに基づいて算出された複数の適用パラメータを用いて、写真の画像データに対する補正処理を行って、複数の補正画像データを生成する。携帯電話端末１のユーザは、画像補正サーバ２から受信した複数の補正画像データから好みの補正画像データを選択する。携帯電話端末１は、いずれの補正画像データが選択されたかを情報通知として、画像補正サーバ２へ通知する。画像補正サーバ２は、情報通知に基づいて、状態情報に適合する補正パラメータの設定内容を調整する。このように、構成することで、画像補正サーバ２は、より好適な補正パラメータを用いて、写真の画像データの補正処理を行うことができる。例えば、観光スポットなどでは、多くの写真が撮影される。本発明によれば、補正パラメータは、多数のユーザによる補正画像データの選択に基づいて、より好適な補正パラメータへと更新される。これにより、ユーザは、より好適に補正処理の行われた写真の補正画像データを取得することができる。
【００６６】
なお、本実施形態において、画像補正サーバ２は、補正処理の行われた複数の補正画像データを、携帯電話端末１へ送信し、ユーザは、携帯電話端末１の受信した複数の補正画像データのうちから好みの画像データを選択している。しかし、画像補正サーバ２は、複数の補正画像データを、携帯電話端末１へ必ずしも送信する必要は無い。この場合、画像補正サーバ２は、Ｗｅｂサーバとしての機能をさらに備える。画像補正サーバ２の画像補正部２２１は、補正処理後の複数の補正画像データを記憶部２２へ記憶して、複数の補正画像データを選択することが可能なＷｅｂサイトを生成する。携帯電話端末１は、画像補正サーバ２の提供するＷｅｂサイトへアクセスして、Ｗｅｂサイトにおける補正画像データ選択画面を表示部１８へ表示可能にするさらにＷｅｂブラウザを備える。ユーザは、携帯電話端末１の表示部１８に表示されるＷｅｂ上において、複数の補正画像データのうちから好みの画像データを選択しても良い。このように構成することによって、本実施形態の画像補正システムは、画像補正サーバ２と携帯電話端末１との間で送受信されるデータ量を減らすことができる。
【００６７】
（第２実施形態）
次に、本発明の第２実施形態による画像補正システムを以下に説明する。本実施形態の画像補正システムは、携帯電話端末１で画像データの補正処理を行うことが、第１実施形態と異なる。そのため、携帯電話端末１は、画像補正サーバ２へ状態情報を送信して、画像補正サーバ２から補正パラメータを取得し、補正パラメータに基づいて算出する適用パラメータを用いて、写真の画像データへ補正処理を行う。このように構成することで、携帯電話端末１と画像処理サーバ２との間で送受信されるデータ量を減らすことができる。本実施形態では、第１実施形態と異なる部分に注目して説明を行い、第１実施形態と同様の部分については説明を省略する。また、第１実施形態と同様の構成には、同様の符号を付して説明を行う。
【００６８】
［構成の説明］
まず、本実施形態の画像補正システムの構成の説明を行う。図４は、本実施形態の画像補正システムの構成を示すブロック図である。本実施形態の画像補正システムは、第１実施形態と同様に、携帯電話端末１と、画像補正サーバ２と、ネットワーク３とを備える。なお、ネットワーク３は、第１実施形態と同様であるので説明を省略する。
【００６９】
はじめに、本実施形態における携帯電話端末１の説明を行う。本実施形態における携帯電話端末１は、制御部１１と、記憶部１２と、カメラ部１３と、画像入力部１４と、ＧＰＳ（Ｇｌｏｂａｌ  Ｐｏｓｉｔｉｏｎｉｎｇ  Ｓｙｓｔｅｍ）受信部１５と、タイマー部１６と、無線通信部１７と、表示部１８と、入力部１９とを備える。なお、記憶部１２と、カメラ部１３と、画像入力部１４と、ＧＰＳ受信部１５と、タイマー部１６と、無線通信部１７と、表示部１８と、入力部１９とは、第１実施形態と同様であるので説明を省略する。
【００７０】
本実施形態における制御部１１について説明を行う。本実施形態における制御部１１は、撮影制御部１１１と、情報取得部１１３と、補正パラメータ取得部１１４と、適用パラメータ算出部１１５と、画質補正部１１６とを備える。なお、撮影制御部１１１と、情報取得部１１３とは、第１実施形態と同様であるので説明を省略する。また、本実施形態における制御部１１が、ＣＰＵ（Ｃｅｎｔｒａｌ  Ｐｒｏｃｅｓｓｉｎｇ  Ｕｎｉｔ）等で構成され、記憶部１２に保存されている処理用プログラムを読み込んで実行することで、携帯電話端末１の機能を実現することも、第１実施形態と同様である。
【００７１】
補正パラメータ取得部１１４は、画像補正サーバ２から選択補正パラメータを取得する。ここで、選択補正パラメータとは、第１実施形態と同様に、補正パラメータのうちで、携帯電話端末１の条件情報に適合する補正パラメータである。補正パラメータ取得部１１４は、撮影制御部１１１によって写真が撮影されたことを検知すると、情報取得部１１３から携帯電話端末１の状態情報を取得する。補正パラメータ取得部１１４は、状態情報を含めたパラメータ取得要求を、無線通信部１７を介して画像補正サーバ２へ送信する。実施形態において、補正パラメータ取得部１１４は、設定内容の異なる複数の選択補正パラメータを、画像補正サーバ２から受信する。本実施形態では、補正パラメータ選択部２１２は、状態情報に適合する選択補正パラメータの他に、設定内容の異なる２つの補正パラメータを選択補正パラメータとして、画像補正サーバ２から取得する。
【００７２】
適用パラメータ算出部１１５は、第１実施形態において画像補正サーバ２の備える適用パラメータ算出部２１３と同様である。すなわち、適用パラメータ算出部２１３は、補正パラメータ選択部２１２が選択した選択補正パラメータと、記憶部１２の画像メモリ１２１に保存されている写真の画像データの画質情報に基づいて、写真の画像データの補正処理を行う適用パラメータを算出する。本実施形態において、補正パラメータ取得部１１４は、状態情報に適合する補正パラメータの他に、設定内容の異なる２つの補正パラメータも選択補正パラメータとして取得している。適用パラメータ算出部２１３は、これら、３パターンの選択補正パラメータのそれぞれに対して、適用パラメータを算出する。
【００７３】
画質補正部１１６は、画質補正部２１１は、適用パラメータ算出部１１５の算出した適用パラメータを用いて、写真の画像データの補正処理を行って、補正後の画像データ（以下、補正画像データ）を生成する。本実施形態において、画質補正部２１１は、一つの写真の画像データに対して、複数の補正画像データを生成する。画質補正部２１１は、適用パラメータ算出部２１３の算出する３パターンの適用パラメータを用いて、写真の画像データに対して補正処理を行って３パターンの補正画像データを生成する。このように、画質補正部２１１が、複数の補正画像データを生成するため、携帯電話端末１のユーザは、複数の補正画像データのうちから好みの補正画像データを選択することができる。
画質補正部１１６は、生成した３パターンの補正画像データと補正前の画像データとを、表示部１８へ表示すると同時に、好みの写真を選択するようにユーザへの通知を表示する。画質補正部１１６は、ユーザが選択した補正画像データ（あるいは補正前の画像データ）を、記憶部１２の画像メモリ１２１へ保存する。画質補正部１１６は、ユーザが選択した補正画像データ（あるいは補正前の画像データ）を、当該写真の補正前の画像データに更新して保存しても良いし、あるは、当該写真の補正前の画像データと別に保存しても良い。
画質補正部１１６は、ユーザの選択した補正後画像データ（あるいは補正前の画像データ）の補正処理に用いた適用パラメータを生成した補正パラメータを、情報通知として、画像補正サーバ２へ通知する。
【００７４】
次に、本実施形態における画像補正サーバ２の説明を行う。本実施形態の画像補正サーバ２は、制御部２１と、記憶部２２と、通信部２３とを備える。なお、通信部２３と、記憶部２２とは、第１実施形態と同様であるので説明を省略する。
【００７５】
本実施形態における制御部２１の説明を行う。本実施形態における制御部２１は、補正パラメータ選択部２１２と、パラメータ更新部２１４とを備える。なお、本実施形態における制御部２１が、ＣＰＵ等で構成され、記憶部２２に保存されている処理用プログラムを読み込んで実行することで、画像補正サーバ２の機能を実現することは、第１実施形態と同様である。
【００７６】
補正パラメータ選択部２１２は、第１実施形態と同様に、携帯電話端末１から受信した状態情報に基づいて、記憶部２２に記録された補正パラメータから適合する選択補正パラメータを選択する。前述のとおり、本実施形態において補正パラメータ選択部２１２は、設定内容の異なる複数の補正パラメータも選択補正パラメータとして選択する。本実施形態では、補正パラメータ選択部２１２は、状態情報に適合する選択補正パラメータの他に、設定内容の異なる２つの補正パラメータを選択補正パラメータとして選択する。補正パラメータ選択部２１２は、選択補正パラメータを含めたパラメータ取得応答を、通信部２３を介して携帯電話端末１へ送信する。
【００７７】
パラメータ更新部２１４は、第１実施形態と同様に、補正パラメータの更新処理を行う。パラメータ更新部２１４は、ユーザの選択した補正画像データの補正処理に使用した補正パラメータを、携帯電話端末１から情報通知として受信する。パラメータ更新部２１４は、情報通知に含まれた補正パラメータと、携帯電話端末１の状態情報に適合した補正パラメータとに基づいて、携帯電話端末１の状態情報に適合した補正パラメータの設定内容を調整して更新する。このように、パラメータ更新部２１４がユーザの補正画像データの選択に基づいて、補正パラメータの調整を行うことで、画像処理サーバ２は、当該状態情報に対するより好適な補正パラメータを保持することができる。
【００７８】
以上が、本実施形態における画像補正システムの構成の説明である。
【００７９】
［動作方法の説明］
次に、本実施形態における画像補正システムの動作方法について説明を行う。図５は、本実施形態における画像補正システムの動作フローを示している。なお、本動作フローが開始する以前に、画像補正システムの管理者は、補正パラメータを携帯電話端末１の状態情報に対応させて分類し、画像補正サーバ２の記憶部２２へ、予め保存している。
【００８０】
（ステップＳ２００〜ステップＳ２１０）
本ステップは、第１実施形態のステップＳ１０からステップＳ２０までと同様であるので説明を省略する。すなわち、携帯電話端末１の撮影制御部１１１は、ユーザからのカメラの起動命令の入力に基づいて、カメラ部１３を起動する。情報取得部１１３は、カメラ部１３の起動を検知すると、携帯電話端末１の状態情報を取得する。
【００８１】
（ステップＳ２２０）
補正パラメータ取得部１１４は、情報取得部１１３から、携帯電話端末１の状態情報を取得する。補正パラメータ取得部１１４は、状態情報を含めたパラメータ取得要求を、無線通信部１７を介して画像処理サーバ２へ送信する。ネットワーク３は、携帯電話端末１から送信されたパラメータ取得要求を、画像補正サーバ２へ転送する。
【００８２】
（ステップＳ２３０）
画像補正サーバ２の補正パラメータ選択部２１２は、携帯電話端末１の送信したパラメータ取得要求を、通信部２３を介して受信する。
【００８３】
（ステップＳ２４０）
補正パラメータ選択部２１２は、パラメータ取得要求に含まれる状態情報に基づいて、状態情報に適合する補正パラメータ（以下、選択補正パラメータ）を、記憶部２２に保存されている補正パラメータ２２１から選択する。なお、本実施形態において、補正パラメータ選択部２１２は、状態情報に適合する選択補正パラメータの他に、設定内容の異なる２つの補正パラメータを選択補正パラメータとして選択する。そのため、補正パラメータ選択部２１２は、３パターンの選択補正パラメータを、記憶部２２に記憶された補正パラメータから選択する。なお、本実施形態において、補正パラメータ選択部２１２は、３パターンの選択補正パラメータを選択しているが、選択する選択補正パラメータの数は、これに限定しない。
【００８４】
（ステップＳ２５０）
補正パラメータ選択部２１２は、選択補正パラメータを含めた、パラメータ取得応答を、通信部２３を介して携帯電話端末１へ送信する。ネットワーク３は、画像補正サーバ２の送信したパラメータ取得応答を、携帯電話端末１へ転送する。
【００８５】
（ステップＳ２６０）
携帯電話端末１の補正パラメータ取得部１１４は、無線通信部１７を介して、パラメータ取得応答を受信する。補正画像取得部１１２は、パラメータ取得応答に含まれる選択補正パラメータを取得する。
【００８６】
（ステップＳ２７０〜ステップＳ２８０）
本ステップは、第１実施形態のステップＳ３０からステップＳ４０までと同様であるので説明を省略する。すなわち、ユーザがカメラ部１３の撮影用レンズを被写体へ向けて撮影命令を入力すると、カメラ部１３は、撮影制御部１１１の制御に基づいて写真を撮影する。撮影制御部１１１は、カメラ部１３の生成した写真の画像データを記憶部１２の画像メモリ１２１へ保存する。
【００８７】
（ステップＳ２９０）
適用パラメータ算出部１１５は、補正パラメータ取得部１１４の取得した選択補正パラメータに基づいて、写真の画像データの補正処理に使用する適用パラメータを算出する。適用パラメータ算出部１１５は、補正パラメータ取得部１１４の取得した３パターンの補正パラメータのそれぞれの設定値に基づいて適用パラメータを算出する。
【００８８】
（ステップＳ３００）
画質補正部１１６は、適用パラメータ算出部１１５の算出した適用パラメータを用いて、写真の画像データの補正処理を行って、補正画像データを生成する。本実施形態において、画質補正部１１６は、３パターンの適用パラメータを用いて、それぞれのパラメータによって補正処理を行った３パターンの補正画像データを生成する。
【００８９】
（ステップＳ３１０）
画質補正部１１６は、３パターンの補正画像データと、記憶部１２の画像メモリ１２１に保存されている補正前の画像データとを、表示部１８へ表示する。補正画像取得部１１２は、補正画像データと補正前の画像データとを、表示部１８のＬＣＤを表示エリアとして４分割して、４つの写真を表示しても良いし、あるいは、表示部１８の１画面に写真１枚を表示して、ユーザが画面を切り替えて参照するように表示を行っても良い。
【００９０】
（ステップＳ３２０）
画質補正部１１６は、３パターンの補正画像データと補正前の画像データとを表示部１８に表示すると、４枚の写真のうちから好みの写真を選択するように、ユーザへの通知を表示部１８へ表示する。ユーザは、表示部１８へ表示された４枚の写真のうちから、好みの写真を選択して入力部１９へ入力する。
【００９１】
（ステップＳ３３０）
画質補正部１１６は、入力部１９からユーザの入力を通知されると、ユーザの選択した写真の補正後画像データ（あるいは、補正前の画像データ）を、記憶部１２の画像メモリ１２１へ保存する。補正画像取得部１１２は、ユーザの選択した写真の補正後画像データを、画像メモリ１２１に保存された補正前の画像データに対して更新して保存を行っても良い。あるいは、補正画面取得部１１２は、ユーザの選択した写真の補正後画像データと、画像メモリ１２１に保存された補正前の画像データとを別に保存を行っても良い。
【００９２】
（ステップＳ３４０）
画質補正部１１６は、ユーザの選択した補正画像データ（あるいは補正前の画像データ）の補正処理に用いた適用パラメータを生成した選択補正パラメータを、情報通知として、画像補正サーバ２へ無線通信部１７を介して送信する。ネットワーク３は、携帯電話端末１の送信した情報通知を、画像補正サーバ２へ転送する。
【００９３】
（ステップＳ３５０）
画像補正サーバ２のパラメータ更新部２１４は、携帯電話端末１の送信した情報通知を、通信部２３を介して受信する。
【００９４】
（ステップＳ３６０）
パラメータ更新部２１４は、情報通知に含まれる選択補正パラメータに基づいて、ステップＳ２４０で選択した、携帯電話端末１の状態情報に適合する補正パラメータの調整を行って更新する。
【００９５】
以上が、本実施形態における画像補正システムの動作方法の説明である。
【００９６】
ここまで、本実施形態における画像補正システムの説明を行ってきた。このように、画像補正サーバ２は、携帯電話端末１から携帯電話端末１の状態情報を取得して、状態情報に基づいて複数の選択補正パラメータを選択する。携帯電話端末１は、これら複数の選択補正パラメータに基づいて算出された複数の適用パラメータを用いて、写真の画像データに対する補正処理を行って、複数の補正画像データを生成する。携帯電話端末１のユーザは、画像補正サーバ２から受信した複数の補正画像データから好みの補正画像データを選択する。携帯電話端末１は、選択された補正画像データの補正処理に用いた補正パラメータを、情報通知として画像補正サーバ２へ通知する。画像補正サーバ２は、情報通知に含まれる、ユーザに選択された補正パラメータに基づいて、状態情報に適合する補正パラメータの設定内容を調整する。
【００９７】
このように、構成することで、携帯電話端末１は、より好適な補正パラメータを用いて、写真の画像データの補正処理を行うことができる。そのため、ユーザは、より好適に補正処理の行われた写真の補正画像データを取得することができる。また、本実施形態の画像補正システムは、携帯電話端末１と画像補正サーバ２との間で補正パラメータの送受信のみを行うため、携帯電話端末１と画像補正サーバ２との間で送受信されるデータ量を減らすことができる。
【００９８】
以上、実施形態を参照して本発の説明を行ったが、本発明は上記の実施形態に限定されるものではない。本発明の構成や詳細には、本発明の範囲内で当業者が理解し得る様々な変更を行うことができる。
【００９９】
例えば、第１実施形態、および第２実施形態を通じて、カメラを備えた携帯電話端末を用いて説明を行っているが、これは、カメラを備えたパーソナルコンピュータのような情報処理端末や、無線ＬＡＮ（Ｌｏｃａｌ  Ａｒｅａ  Ｎｅｔｗｏｒｋ）やＢｌｕｅＴｏｏｔｈといった通信機能を備えたデジタルカメラに応用できることは容易に理解できる。
【０１００】
また、通信手段は、移動体通信に限らず、無線ＬＡＮ等の他の無線アクセス手段、あるいは、ＵＳＢ（Ｕｎｉｖｅｒｓａｌ  Ｓｅｒｉａｌ  Ｂｕｓ）等の有線アクセス手段を用いたネットワークアクセスであっても適用可能である。
【０１０１】
さらに、第１実施形態、および第２実施形態共に、複数の画像データのうちからユーザの選択した画像データに対応する補正パラメータを用いて、状態情報に対応する補正パラメータを更新している。補正パラメータの更新方法は、例えば第１実施形態であれば、移動体端末から送られる写真の画像データの画質データに基づいて補正パラメータを更新してもよい。観光地等の多数の人間が集まるエリアにおいては、多数のユーザが多くの写真を撮影することが考えられる。画像補正サーバは、これら多数の写真の画像データにおける画質情報に基づいて、現地の明るさ等のパラメータ情報を取得することも可能である。
【０１０２】
また、補正パラメータは、予め用意された補正パラメータを適用することもできる。例えば、画像補正サーバ２は、画像データに含まれる人物に対する画像認識を行って人物特定を行い、図示されない情報提供サーバへアクセスして当該人物の購買履歴等を取得し、購買履歴から当該人物の最近の化粧品の購買履歴を参照する。画像補正サーバ２は、当該化粧品に対応する補正パラメータ（例えば、色情報）を予め保存しておき、当該補正パラメータを使用して画像データの補正処理を行ってもよい。さらに、他の例としては、画像補正サーバ２は、図示されない情報提供サーバへアクセスして、位置情報と日付情報とに基づいて、現在、携帯電話端末１の存在する場所におけるイベント情報を特定する。ここで、特定のイベント情報とは、たとえば「菊の展覧会」等の写真を多く撮影するイベントを示す。画像補正サーバ２は、当該イベントに対応する補正パラメータを予め保存し、或いは図示されない情報提供サーバ（例えば、「菊の展覧会」の主催者の提供する情報提供サーバ）アクセスして当該イベントに対応する補正パラメータを取得して、画像データの補正処理を行っても良い。このように、画像補正サーバは、様々な情報に基づいて、当該情報に対応する補正パラメータを取得することで、より効果的に写真の画像データを補正することも可能である。
【符号の説明】
【０１０３】
１  携帯電話端末
２  画像補正サーバ
３  ネットワーク
１１  制御部
１２  記憶部
１３  カメラ部
１４  画像入力部
１５  ＧＰＳ受信部
１６  タイマー部
１７  無線通信部
１８  表示部
１９  入力部
２１  制御部
２２  記憶部
２３  通信部
３１  基地局
１１１  撮影制御部
１１２  補正画像取得部
１１３  情報取得部
１１４  補正パラメータ取得部
１１５  適用パラメータ算出部
１１６  画質補正部
１２１  画像メモリ
１２２  ユーザデータ
２１１  画質補正部
２１２  補正パラメータ選択部
２１３  適用パラメータ算出部
２１４  パラメータ更新部
２２１  補正パラメータＤＢ
【図１】
2010171661.tif 000003
【図２】
2010171661.tif 000004
【図３】
2010171661.tif 000005
【図４】
2010171661.tif 000006
【図５】
2010171661.tif 000007